(57)【特許請求の範囲】
【請求項１】
再生側情報記録媒体からデジタル情報を読み出す情報再生装置と、この情報再生装置に接続され、圧縮したデジタル情報を記録側情報記録媒体に記録する情報記録装置とを備えた情報記録システムにおいて、
情報再生装置は、
再生側情報記録媒体に記録されたデジタル情報を、通常の再生速度よりも高速な高速再生速度にてデジタル情報として読み出すことが可能な読み出し部と、
読み出し部によって読み出されたデジタル情報を、情報再生装置の所定の圧縮方法によって圧縮処理する圧縮部と、
圧縮部によって圧縮されたデジタル情報を、出力する高速録音用出力端子と、を備えており、
情報記録装置は、
情報再生装置の高速録音用出力端子に接続された高速録音用入力端子と、
高速録音用入力端子からの圧縮されたデジタル情報を、記録側情報記録媒体に記録する記録部と、
を備えていることを特徴とする情報記録システム。
【請求項２】
情報記録媒体からデジタル情報を読み出す情報再生装置であって、
情報記録媒体に記録されたデジタル情報を、通常の再生速度よりも高速な高速再生速度にてデジタル情報として読み出すことが可能な読み出し部、
読み出し部によって読み出されたデジタル情報を、情報再生装置の所定の圧縮方法によって圧縮処理する圧縮部、
圧縮部によって圧縮されたデジタル情報を、出力する高速録音用出力端子、
を備えたことを特徴とする情報再生装置。
【請求項３】
再生側情報記録媒体からデジタル情報を読み出す情報再生装置と、この情報再生装置に接続され、圧縮したデジタル情報を記録側情報記録媒体に記録する情報記録装置とを備えた情報記録システムにおいて、
情報再生装置は、
通常再生モードと高速再生モードを切り換え可能に構成されており、
通常再生モードにおいては、再生側情報記録媒体に記録されたデジタル情報を、通常再生速度にて読み出し、高速再生モードにおいては、再生側情報記録媒体に記録されたデジタル情報を、通常再生速度よりも高速な高速再生速度にて読み出す再生部と、
通常再生速度にて読み出されたデジタル情報を出力する通常録音出力端子と、高速再生速度にて読み出されたデジタル情報を、情報再生装置の所定の圧縮方法によって圧縮する圧縮部と、
圧縮部によって圧縮されたデジタル情報を、出力する高速録音出力端子と、を備えており、
情報記録装置は、
通常録音モードと高速録音モードを切り換え可能に構成されており、
情報再生装置の通常録音出力端子と接続された通常録音用入力端子と、通常録音用入力端子からのデジタル情報を圧縮処理する圧縮部と、
情報再生装置の高速録音出力端子と接続された高速録音用入力端子と、
通常録音モードにおいては、圧縮部からの圧縮されたデジタル情報を通常の速度にて記録側情報記録媒体に記録し、高速録音モードにおいては、高速録音用入力端子からの圧縮されたデジタル情報を記録側情報記録媒体に記録する記録部と、
を備えたことを特徴とする情報記録システム。
【請求項４】
情報記録媒体からデジタル情報を読み出す情報再生装置であって、
通常再生モードと高速再生モードを切り換え可能に構成されており、
通常再生モードにおいては、情報記録媒体に記録されたデジタル情報を、通常再生速度にて読み出し、高速再生モードにおいては、通常再生速度よりも高速な高速再生速度にて読み出す再生部、
通常再生速度にて読み出されたデジタル情報を出力する通常録音出力端子、
高速再生速度にて読み出されたデジタル情報を、情報再生装置の所定の圧縮方法によって圧縮する圧縮部、
圧縮部によって圧縮されたデジタル情報を、出力する高速録音出力端子、
を備えたことを特徴とする情報再生装置。
【請求項５】
再生側情報記録媒体からデジタル情報を読み出す情報再生装置と、この情報再生装置に接続され、圧縮したデジタル情報を記録側情報記録媒体に記録する情報記録装置とを用いた情報記録方法において、
情報再生装置は、
再生側情報記録媒体に記録されたデジタル情報を、通常の再生速度よりも高速な高速再生速度にてデジタル情報として読み出し、
読み出されたデジタル情報を、情報再生装置の所定の圧縮方法によって圧縮し、
圧縮されたデジタル情報を、高速録音用出力端子から出力し、
情報記録装置は、
高速録音用入力端子からの圧縮されたデジタル情報を、記録側情報記録媒体に記録すること
を特徴とする情報記録方法。
【請求項６】
一の情報記録媒体からデジタル情報を読み出し、読み出されたデジタル情報を圧縮して他の情報記録媒体に記録する情報記録方法において、
通常再生モードと高速再生モードおよび通常録音モードと高速録音モードを切り換え可能とし、
通常再生モードにおいては、一の情報記録媒体に記録されたデジタル情報を、通常再生速度にて読み出し、高速再生モードにおいては、一の情報記録媒体に記録されたデジタル情報を、通常再生速度よりも高速な高速再生速度にて読み出し、
通常再生速度にて読み出されたデジタル情報を、通常デジタル情報として出力し、
高速再生速度にて読み出されたデジタル情報を、所定の圧縮方法によって圧縮処理するとともに圧縮されたデジタル情報を圧縮デジタル情報として出力し、
出力された通常デジタル情報を圧縮処理し、
通常録音モードにおいては、圧縮処理された通常デジタル情報を通常の速度にて他の情報記録媒体に記録し、高速録音モードにおいては、圧縮デジタル情報を他の情報記録媒体に記録すること、
を特徴とする情報記録方法。
【発明の詳細な説明】
【０００１】
【産業上の利用分野】
本発明は情報記録システムに関し、特に情報記録媒体間の情報記録の高速化に関する。
【０００２】
【従来の技術】
情報を再生／記録する装置には、コンパクトディスク（ＣＤ）プレイヤー、ミニディスク（ＭＤ)プレイヤー／レコーダー等様々なものがある。ところで、近年、携帯性に優れたＭＤプレイヤー／レコーダーが普及しつつある。これにより、コンパクトディスクに記録されている音楽をミニディスクに記録し、かかるミニディスクをＭＤプレイヤーで再生する場合がある。
【０００３】
図５に、コンパクトディスクに記録されている音楽をミニディスクに記録する場合のＣＤプレイヤーとＭＤレコーダーの接続関係を示す。ここで、ＣＤプレイヤー１００のディジタル出力端子（図示せず）は、ＭＤレコーダー２００のディジタル入力端子（図示せず）に接続されている。なお、この接続には、デジタル対応の接続ケーブル１５０が用いられる。
【０００４】
コンパクトディスクに記録されている音楽をミニディスクに記録する場合、コンパクトディスク１２およびミニディスク２２を、それぞれＣＤプレイヤー１００およびＭＤレコーダー２００内に挿入する。この挿入の後、ＭＤレコーダー２００の操作部にあるＲＥＣ（録音）ボタンを押下し、ＭＤレコーダー２００を録音状態にする。ＭＤレコーダー２００を録音状態にした後、ＣＤプレイヤー１００の操作部にあるＰＬＡＹ（再生）ボタンを押下してＣＤプレイヤー１００を再生状態にする。
【０００５】
上記の操作が行なわれると、ＣＤプレイヤー１００で再生された音楽（デジタル情報）は、ディジタル出力端子、接続ケーブル１５０を通じてＭＤレコーダー２００のディジタル入力端子に入力され、ミニディスク２２に記録される。
【０００６】
このように、ＣＤプレイヤー１００とＭＤレコーダー２００を図５に示すように接続するとともに上記の操作を行なうことで、コンパクトディスクに記録されている音楽を確実にミニディスクに記録することができる。
【０００７】
【発明が解決しようとする課題】
しかしながら、従来の情報記録には、次のような問題があった。ＣＤプレイヤー１００で再生されたデジタル情報は、そのままＭＤレコーダー２００に入力される。ＭＤレコーダー２００に入力されたデジタル情報は、ＭＤレコーダー２００において圧縮された後、ミニディスク２２に記録される。したがって、ＣＤプレイヤー１００からのディジタル情報をＭＤレコーダー２００で記録しようとすると、ＣＤプレイヤー１００における再生時間と同じ長さの記録時間が必要となる。これにより、音楽等の種類によっては、記録に要する時間が非常に長くなってしまうという問題があった。
【０００８】
そこで、本発明は、コンパクトディスクに記録されている情報を高速でミニディスクに記録することができる情報記録システムの提供を目的としている。
【０００９】
【課題を解決するための手段】
請求項１の情報記録システムは、再生側情報記録媒体からデジタル情報を読み出す情報再生装置と、この情報再生装置に接続され、圧縮したデジタル情報を記録側情報記録媒体に記録する情報記録装置とを備えた情報記録システムにおいて、
情報再生装置は、
再生側情報記録媒体に記録されたデジタル情報を、通常の再生速度よりも高速な高速再生速度にてデジタル情報として読み出すことが可能な読み出し部と、
読み出し部によって読み出されたデジタル情報を、情報再生装置の所定の圧縮方法によって圧縮処理する圧縮部と、
圧縮部によって圧縮されたデジタル情報を、出力する高速録音用出力端子と、
を備えており、
情報記録装置は、
情報再生装置の高速録音用出力端子に接続された高速録音用入力端子と、
高速録音用入力端子からの圧縮されたデジタル情報を、記録側情報記録媒体に記録する記録部と、
を備えたことを特徴としている。
【００１０】
請求項２の情報再生装置は、情報記録媒体からデジタル情報を読み出す情報再生装置であって、
情報記録媒体に記録されたデジタル情報を、通常の再生速度よりも高速な高速再生速度にてデジタル情報として読み出すことが可能な読み出し部、
読み出し部によって読み出されたデジタル情報を、情報再生装置の所定の圧縮方法によって圧縮処理する圧縮部、
圧縮部によって圧縮されたデジタル情報を、出力する高速録音用出力端子、
を備えたことを特徴としている。
【００１２】
請求項３の情報記録システムは、再生側情報記録媒体からデジタル情報を読み出す情報再生装置と、この情報再生装置に接続され、圧縮したデジタル情報を記録側情報記録媒体に記録する情報記録装置とを備えた情報記録システムにおいて、
情報再生装置は、
通常再生モードと高速再生モードを切り換え可能に構成されており、
通常再生モードにおいては、再生側情報記録媒体に記録されたデジタル情報を、通常再生速度にて読み出し、高速再生モードにおいては、再生側情報記録媒体に記録されたデジタル情報を、通常再生速度よりも高速な高速再生速度にて読み出す再生部と、
通常再生速度にて読み出されたデジタル情報を出力する通常録音出力端子と、
高速再生速度にて読み出されたデジタル情報を、情報再生装置の所定の圧縮方法によって圧縮する圧縮部と、
圧縮部によって圧縮されたデジタル情報を、出力する高速録音出力端子と、を備えており、
情報記録装置は、
通常録音モードと高速録音モードを切り換え可能に構成されており、
情報再生装置の通常録音出力端子と接続された通常録音用入力端子と、
通常録音用入力端子からのデジタル情報を圧縮処理する圧縮部と、
情報再生装置の高速録音出力端子と接続された高速録音用入力端子と、
通常録音モードにおいては、圧縮部からの圧縮されたデジタル情報を通常の速度にて記録側情報記録媒体に記録し、高速録音モードにおいては、高速録音用入力端子からの圧縮されたデジタル情報を記録側情報記録媒体に記録する記録部と、
を備えたことを特徴としている。
【００１３】
請求項４の情報再生装置は、情報記録媒体からデジタル情報を読み出す情報再生装置であって、
通常再生モードと高速再生モードを切り換え可能に構成されており、
通常再生モードにおいては、情報記録媒体に記録されたデジタル情報を、通常再生速度にて読み出し、高速再生モードにおいては、通常再生速度よりも高速な高速再生速度にて読み出す再生部、
通常再生速度にて読み出されたデジタル情報を出力する通常録音出力端子、
高速再生速度にて読み出されたデジタル情報を、情報再生装置の所定の圧縮方法によって圧縮する圧縮部、
圧縮部によって圧縮されたデジタル情報を、出力する高速録音出力端子、
を備えたことを特徴としている。
【００１５】
請求項５の情報記録方法は、再生側情報記録媒体からデジタル情報を読み出す情報再生装置と、この情報再生装置に接続され、圧縮したデジタル情報を記録側情報記録媒体に記録する情報記録装置とを用いた情報記録方法において、
情報再生装置は、
再生側情報記録媒体に記録されたデジタル情報を、通常の再生速度よりも高速な高速再生速度にてデジタル情報として読み出し、
読み出されたデジタル情報を、情報再生装置の所定の圧縮方法によって圧縮し、
圧縮されたデジタル情報を、高速録音用出力端子から出力し、
情報記録装置は、
高速録音用入力端子からの圧縮されたデジタル情報を、記録側情報記録媒体に記録すること
を特徴としている。
【００１７】
請求項６の情報記録方法は、一の情報記録媒体からデジタル情報を読み出し、読み出されたデジタル情報を圧縮して他の情報記録媒体に記録する情報記録方法において、
通常再生モードと高速再生モードおよび通常録音モードと高速録音モードを切り換え可能とし、
通常再生モードにおいては、一の情報記録媒体に記録されたデジタル情報を、通常再生速度にて読み出し、高速再生モードにおいては、一の情報記録媒体に記録されたデジタル情報を、通常再生速度よりも高速な高速再生速度にて読み出し、
通常再生速度にて読み出されたデジタル情報を、通常デジタル情報として出力し、
高速再生速度にて読み出されたデジタル情報を、所定の圧縮方法によって圧縮処理するとともに圧縮されたデジタル情報を圧縮デジタル情報として出力し、
出力された通常デジタル情報を圧縮処理し、
通常録音モードにおいては、圧縮処理された通常デジタル情報を通常の速度にて他の情報記録媒体に記録し、高速録音モードにおいては、圧縮デジタル情報を他の情報記録媒体に記録すること、
を特徴としている。
【００１９】
【発明の効果】
本発明にかかる情報記録システム／情報記録方法においては、一の情報記憶媒体に記録されたデジタル情報を高速再生速度にてデジタル情報として読み出し、読み出したデジタル情報を所定の圧縮方法によって圧縮処理するとともに出力し、出力されたデジタル情報を他の情報記録媒体に記録する。
【００２０】
したがって、一の情報記録媒体のデジタル情報を高速で他の情報記録媒体に記録することが可能となる。
【００２１】
また、本発明にかかる情報記録システム／情報記録方法においては、通常再生モードでは、一の情報記録媒体に記録されたデジタル情報を、通常再生速度で読み出し、読み出されたデジタル情報を、通常デジタル情報として出力し、高速再生モードにおいては、記録されたデジタル情報を、高速再生速度で読み出し、読み出されたデジタル情報を、所定の圧縮方法により圧縮処理するとともに、圧縮デジタル情報として出力し、
通常録音モードでは、圧縮処理された通常デジタル情報を通常の速度で他の情報記録媒体に記録し、高速録音モードにおいては、圧縮デジタル情報を他の情報記録媒体に記録する。
【００２２】
したがって、通常再生モード／高速再生モードおよび通常録音モード／高速録音モードを任意に切り換えることで、通常または高速のいずれのモードによってもデジタル情報の記録を行なうことが可能である。これにより、通常速度による情報記録または高速による情報記録のいずれをも行なうことが可能となる。
【００２３】
さらに、本発明にかかる情報記録システム／情報記録方法においては、一の情報記録媒体に記録されたデジタル情報を、高速再生速度でデジタル情報として読み出すとともに、読み出されたデジタル情報を出力し、出力されたデジタル情報を圧縮処理し、圧縮処理がなされたデジタル情報を、他の情報記録媒体に記録する。
【００２４】
したがって、一の情報記録媒体のデジタル情報を高速で他の情報記録媒体に記録することが可能となる。
【００２５】
【実施形態】
図１に、本発明の一実施形態による情報記録システム４００の全体構成を示すブロック図を掲げる。この情報記録システム４００は、情報再生装置であるＣＤプレイヤー３０および情報記録装置としてのＭＤレコーダー４０を備えている。また、高速録音用出力端子であるＣＤプレイヤー３０の出力端子３０Ｔと高速入力端子としてのＭＤレコーダー４０の入力端子４０Ｔとの間は、デジタル情報の高速な搬送に対応することのできるケーブル４００Ｃにより接続されている。
【００２６】
本実施形態におけるＣＤプレイヤー３０は、出力端子３０Ｔの他、操作キー３５、システムコントローラー３８、読み出し部であるメカニズム系３９および信号処理系３４、および圧縮部３３を備えている。また、本実施形態におけるＭＤレコーダー４０は、入力端子４０Ｔの他、操作キー４５、システムコントローラー４８、記録部であるメカニズム系４９および信号処理系４４、およびショックプルーフメモリ４６を備えている。
【００２７】
次に、本実施形態にかかる情報記録システム４００を用い、ＣＤ１２に記録されているデジタル情報を、ＭＤ２２に記録する場合の動作について説明する（図１参照）。まず、操作キー３５、４５を操作して、各々の装置を再生および録音状態にする。この操作により、メカニズム系３９は、所定位置にセットされているＣＤ１２に記憶されたデジタル情報を、通常の再生速度の約４倍の速度で読み出す。すなわち、システムコントローラ３８の制御により、メカニズム系３９に設けられている図外のピックアップ等の光学系、スピンドルモーター等の駆動系などを通常の再生時の約４倍の速度で動作させる。このデジタル情報の高速読み出し後、読み出されたデジタル情報は、信号処理系３４を通じて圧縮部３３に送られ、圧縮部３３において高速（通常の圧縮速度の約４倍の速度）で圧縮処理される。本実施形態においては、圧縮方法としてアダプティブ・トランスフォーム・アコースティック・コーディング処理（以下ＡＴＲＡＣ処理という）を採用している。高速でＡＴＲＡＣ処理が行なわれたデジタル情報は、出力端子３０Ｔに出力される。
【００２８】
出力端子３０Ｔに出力された高速圧縮デジタル情報は、ケーブル４００Ｃを通じて入力端子４０Ｔに入力される。こうして入力端子４０Ｔに入力された高速圧縮デジタル情報は、システムコントローラ４８の制御により高速圧縮された状態のままで一旦ショックプルーフメモリ４６内に記憶される。ショックプルーフメモリ４６に記憶された後の圧縮デジタル情報は、システムコントローラ４８の制御によって、信号処理系４４を介してメカニズム系４９の所定位置にセットされているＭＤ２２内に通常の記録速度で記録される。このような高速記録動作が、順次行なわれる。
【００２９】
また、ＣＤプレイヤー３０においては、上述の処理を行なうとともに時間情報等の音楽情報等に付随する情報（付随情報）がある場合、当該付随情報を圧縮することなく別途ＭＤレコーダー４０に出力する。なぜなら、音楽情報等は確実にＡＴＲＡＣ処理を行なうことができるが、付随情報は情報の性質の違いからＡＴＲＡＣ処理ができない場合があるからである。これにより、ＭＤレコーダー４０において、かかる付随情報をも確実に利用することが可能となる。なお、以下に説明する情報圧縮を行なうＣＤプレイヤーも同様の機能を備えている。
【００３０】
本発明にかかる情報記録システム４００において、ＣＤプレイヤー３０は、ＣＤ１２の最終トラックを再生した場合および操作キー３５に設けられている停止キー（図示せず）が押下された場合には、自動的にその動作を停止するよう構成されている。また、ＭＤレコーダー４０は、ＭＤ２２に記録可能な領域がなくなった場合および操作キー４５に設けられている停止キー（図示せず）が押下された場合には、自動的にその動作を停止する。以下に説明するＣＤプレイヤーおよびＭＤレコーダーも、上述の停止機能を備えている。
【００３１】
このように、本実施形態による情報記録システム４００においては、ＣＤ１２に記録されたデジタル情報を高速再生速度にてデジタル情報として読み出し、読み出したデジタル情報を高速でＡＴＲＡＣ処理するとともに出力し、出力されたデジタル情報を通常の記録速度でＭＤ２２に記録する。したがって、ＣＤ１２に記録されたデジタル情報を高速でＭＤ２２に記録することが可能となる。
【００３２】
次に、本発明の他の実施形態による情報記録システムについて説明する。図２に、本発明の他の実施形態による情報記録システム５００の全体構成を示すブロック図を掲げる。この情報記録システム５００においても、ＣＤプレイヤー５０およびＭＤレコーダー６０を備えている。また、通常録音出力端子であるＣＤプレイヤー５０の出力端子５０Ｔ１と通常録音入力端子としてのＭＤレコーダー６０の入力端子６０Ｔ１間は、ケーブル５００Ｃ１により接続されており、高速録音出力端子であるＣＤプレイヤー５０の出力端子５０Ｔ２と高速録音入力端子としてのＭＤレコーダー６０の入力端子６０Ｔ２との間は、ケーブル５００Ｃ２により接続されている。
【００３３】
本実施形態におけるＣＤプレイヤー５０は、出力端子５０Ｔ１および出力端子５０Ｔ２の他、操作キー５５、システムコントローラー５８、読み出し部であるメカニズム系５９、信号処理系５４および圧縮部５３を備えている。また、本実施形態におけるＭＤレコーダー６０は、入力端子６０Ｔ１および入力端子６０Ｔ２の他、操作キー６５、システムコントローラー６８、メカニズム系６９および信号処理系６４、ショックプルーフメモリ６６、圧縮部６７および切り換えスイッチ６３を備えている。
【００３４】
次に、本実施形態にかかる情報記録システム５００を用い、ＣＤ１２に記録されているデジタル情報をＭＤ２２に記録する場合の動作について説明する（図２参照）。本実施形態にかかる情報記録システム５００においては、ＣＤプレイヤー５０を通常再生モードまたは高速再生モードのいずれかに、ＭＤレコーダー６０を通常録音モードまたは高速録音モードのいずれかに切り換えることにより通常または高速な情報の記録を選択することができる。なお、ここでは、まずＣＤプレイヤー５０を高速再生モードとし、ＭＤレコーダー６０を高速録音モードとすることにより高速な情報記録を行なう場合について説明する。
【００３５】
まず、操作キー５５、６５を操作して、各々の装置を高速再生モードおよび高速録音モードに設定する。この操作により、ＣＤプレイヤー５０のメカニズム系５９は、システムコントローラ５８の制御に基づき、所定位置にセットされているＣＤ１２に記憶されたデジタル情報を、通常の再生速度の約４倍の速度で読み出す。デジタル情報の高速読み出し後、読み出されたデジタル情報は、信号処理系５４を通じて圧縮部５３に送られ、高速（通常の圧縮速度の約４倍の速度）でＡＴＲＡＣ処理が行なわれる。高速なＡＴＲＡＣ処理が行なわれたデジタル情報は、出力端子５０Ｔ２に出力される。なお、高速録音モードに設定するよう操作されたＭＤレコーダー６０では、切り換えスイッチ６３が端子６０Ｔ３に接触するよう切り換えられている。
【００３６】
出力端子５０Ｔ２に出力された圧縮デジタル情報は、ケーブル５００Ｃ２を通じて入力端子６０Ｔ２に入力される。入力端子６０Ｔ２に入力された圧縮デジタル情報は、端子６０Ｔ３を通じて圧縮された状態のままで信号処理系６４を介して一旦ショックプルーフメモリ６６内に記憶される。ショックプルーフメモリ６６に記憶後の圧縮デジタル情報は、システムコントローラ６８の制御に基づき、信号処理系６４を通じ、メカニズム系６９の所定位置にセットされているＭＤ２２内に通常の記録速度で記録される。このような高速記録動作が、順次行なわれる。
【００３７】
次に、ＣＤプレイヤー５０を通常再生モードとし、ＭＤレコーダー６０を通常録音モードとすることにより通常の再生／記録速度において情報の記録を行なう場合について説明する。
【００３８】
まず、操作キー５５、６５を操作して、各々の装置を通常再生モードおよび通常録音モードにする。この操作により、ＣＤプレイヤー５０のメカニズム系５９は、所定位置にセットされているＣＤ１２に記憶されたデジタル情報を、通常の再生速度で読み出す。すなわち、システムコントローラ５８の制御によりメカニズム系５９のピックアップ等の光学系、スピンドルモーター等の駆動系などを通常の再生時の速度で動作させる。デジタル情報の通常再生速度での読み出し後、読み出されたデジタル情報は、信号処理系５４を通じて、圧縮されていない状態で出力端子５０Ｔ１に出力される。なお、通常録音モードに設定するよう操作されたＭＤレコーダー６０では、切り換えスイッチ６３が端子６７Ｔに接触するよう切り換えられている。
【００３９】
出力端子５０Ｔ１に出力されたデジタル情報は、ケーブル５００Ｃ１を通じて入力端子６０Ｔ１に入力される。入力端子６０Ｔ１に入力された非圧縮デジタル情報は、圧縮部６７により通常の圧縮速度でＡＴＲＡＣ処理が行なわれ、端子６７Ｔを通じて信号処理系６４に入力される。信号処理系６４に入力された圧縮デジタル情報は、一旦ショックプルーフメモリ６６内に記憶される。ショックプルーフメモリ６６に記憶された後の圧縮デジタル情報は、システムコントローラ６８の制御により信号処理系６４を介して、メカニズム系６９の所定位置にセットされているＭＤ２２内に通常の記録速度で記録される。このような通常速度での記録動作が、順次行なわれる。
【００４０】
このように、本実施形態による情報記録システム５００においては、ＣＤプレイヤー５０およびＭＤレコーダー６０が高速再生／録音モードの場合、記録されたデジタル情報を、高速再生速度で読み出し、読み出されたデジタル情報を、高速でＡＴＲＡＣ処理するとともに圧縮デジタル情報として出力し、圧縮デジタル情報を通常の記録速度でＭＤ２２に記録する。また、ＣＤプレイヤー５０およびＭＤレコーダー６０がともに通常再生／録音モードの場合では、ＣＤ１２に記録されたデジタル情報を、通常再生速度で読み出し、読み出されたデジタル情報を、通常デジタル情報として出力し、その後通常の圧縮速度でＡＴＲＡＣ処理された通常デジタル情報を通常の記録速度でＭＤ２２に記録する。したがって、通常再生モード／高速再生モードおよび通常録音モード／高速録音モードを任意に切り換えることで、通常または高速のいずれのモードによってもデジタル情報の記録を行なうことが可能である。これにより、通常速度による情報記録または高速による情報記録のいずれをも行なうことが可能となる。
【００４１】
さらに、本発明の他の実施形態による情報記録システムについて説明する。図３に、本発明の他の実施形態による情報記録システム６００の全体構成を示すブロック図を掲げる。この情報記録システム６００においても、ＣＤプレイヤー７０およびＭＤレコーダー８０を備えている。また、ＣＤプレイヤー７０の出力端子７０ＴとＭＤレコーダー８０の入力端子８０Ｔ間は、ケーブル６００Ｃにより接続されている。
【００４２】
本実施形態におけるＣＤプレイヤー７０は、出力端子７０Ｔの他、操作キー７５、システムコントローラー７８、メカニズム系７９および信号処理系７４を備えている。また、本実施形態におけるＭＤレコーダー８０は、入力端子８０Ｔの他、操作キー８５、システムコントローラー８８、メカニズム系８９、信号処理系８４、ショックプルーフメモリ８６、圧縮部８３を備えている。
【００４３】
次に、本実施形態にかかる情報記録システム６００を用い、ＣＤ１２に記録されているデジタル情報をＭＤ２２に記録する場合の動作について説明する（図３参照）。まず、操作キー７５、８５を操作して、各々の装置を再生状態および録音状態に設定する。この操作により、ＣＤプレイヤー７０のメカニズム系７９は、所定位置にセットされているＣＤ１２に記憶されたデジタル情報を、通常の再生速度の約４倍の速度で読み出す。デジタル情報の高速読み出し後、読み出されたデジタル情報は、システムコントローラー７８の制御に基づき、信号処理系７４を通じ、圧縮されていない状態で出力端子７０Ｔに出力される。
【００４４】
出力端子７０Ｔに出力された非圧縮デジタル情報は、ケーブル６００Ｃを通じて入力端子８０Ｔに入力される。入力端子８０Ｔに入力された非圧縮デジタル情報は、圧縮部８３に送られ、高速でＡＴＲＡＣ処理が行なわれる。高速なＡＴＲＡＣ処理が行なわれたデジタル情報は、信号処理系８４を介して一旦ショックプルーフメモリ８６内に記憶される。ショックプルーフメモリ８６に記憶後の圧縮デジタル情報は、システムコントローラー８８の制御により信号処理系８４を通じ、メカニズム系８９の所定位置にセットされているＭＤ２２内に通常の記録速度で記録される。こうした高速記録動作が、順次行なわれる。
【００４５】
このように、本実施形態による情報記録システム６００においては、ＣＤ１２に記録されたデジタル情報を高速再生速度でデジタル情報として読み出すとともに、読み出された非圧縮デジタル情報を出力し、出力された非圧縮デジタル情報を高速でＡＴＲＡＣ処理し、高速で圧縮処理がなされたデジタル情報を、通常の記録速度でＭＤ２２に記録する。したがって、ＣＤ１２に記録されたデジタル情報を高速でＭＤ２２に記録することが可能となる。
【００４６】
なお、情報記録システム６００においては、高速読み出し後のデジタル情報は、圧縮されていない状態でＣＤプレイヤー７０からＭＤレコーダー８０に対して出力される。すなわち、通常の約４倍のサンプリング周波数を有する非圧縮デジタル情報がＭＤレコーダー８０に入力されることになる。したがって、ＭＤレコーダー８０おいては、通常の約４倍のサンプリング周波数に対応したデジタル情報への復調が必要となる。したがって、かかる復調を行なうために、通常の約４倍のサンプリング周波数でロックが可能なようにキャプチャレンジを広げた復調用ＰＬＬ（フェーズ・ロックド・ループ）を用いる必要がある。
【００４７】
これに対し、高速読み出し後、更に高速圧縮を行なった後の圧縮デジタル情報を情報記録装置に出力する情報記録システム（図１、図２および図４参照）においては、上述のような機能を有する復調用ＰＬＬが不要である。これにより、かかる復調用ＰＬＬを用いなくても、ＣＤ１２に記録されたデジタル情報を高速でＭＤ２２に記録することが可能となる。
【００４８】
ところで、図２に示した情報記録システム５００においては、ＣＤプレイヤー５０に出力端子５０Ｔ１および５０Ｔ２、ＭＤレコーダー６０に入力端子６０Ｔ１および６０Ｔ２をそれぞれ設け、出力端子５０Ｔ１と入力端子６０Ｔ１、出力端子５０Ｔ１をケーブル５００Ｃ１によって接続するとともに、出力端子５０Ｔ２と入力端子６０Ｔ２をケーブル５００Ｃ２によって接続している。しかし、当該情報記録システム５００を図４に示すように構成すれば、ＣＤプレイヤー５０とＭＤレコーダー６０との間を１本のケーブル５００Ｃ３のみにより接続することができる。これによっても、通常モードまたは高速モードを任意に切り換えることで、通常速度または高速による情報記録のいずれをも行なうことが可能となる。
【００４９】
なお、上記実施形態においては、情報再生装置としてＣＤプレイヤーを用い、情報記録装置としてＭＤレコーダーを用いている。しかし、デジタル方式で情報の再生、記録を行なえるものであれば他の装置を用いるようにしてもよい。例えば、ＭＤプレイヤー／レコーダーを情報再生装置とし、情報再生装置としてもＭＤプレイヤー／レコーダーを用いてもよい。また、その他の例としては、情報再生装置としてデジタル・バーサタイル・ディスク（いわゆるＤＶＤ）の音声再生部分、デジタル・コンパクトカセット（いわゆるＤＣＣ）、ＭＤプレイヤー、デジタル・オーディオテーププレイヤー（いわゆるＤＡＴ）等を用いるようにし、情報記録装置としてＤＣＣ、ＤＶＤの音声記録部、ＤＡＴ等を用いるようにしてもよい。
【００５０】
上述の様な組合わせを行なう際、情報再生装置と情報記録装置とで変調方式／サンプリング周波数が異なる場合がある。変調方式が異なる場合には、変調方式の相違を認識し、その相違を調整するようなコンバーター等を用いることにより、情報再生装置と情報再生装置の間で変調方式が異なる場合であっても高速な情報記録を行なうことが可能となる。また、情報再生装置と情報記録装置とでサンプリング周波数が異なる場合には、サンプリング周波数のレートを情報再生装置と情報記録装置とで同じ周波数に変換するレートコンバーターを用いればよい。さらに、変調方式およびサンプリング周波数のいずれもが異なる場合には、上述の両方の手段を講じるようにすればよい。
【００５１】
また、上記実施形態においては、情報圧縮方法としてＡＴＲＡＣ処理を用いた。しかし、情報圧縮方法は、これに限られることはなく、例えば、ＤＣＣで採用されているＰＡＳＣ（Precision Adaptive Subband Coding)等を用いるようにしてもよい。
【００５２】
さらに、上記実施形態においては、ＣＤ１２に記憶されたデジタル情報を、通常の再生速度の約４倍の速度で読み出している。これは、ＡＴＲＡＣ処理における情報量の圧縮が約１／５であることから、圧縮後の書込みに若干の余裕を持たせるためである。しかし、ＣＤ１２に記憶されたデジタル情報の再生速度は、必ずしも４倍に限られず、これを超える速度であっても、またこれを下回る速度であってもよい。なお、通常の約４倍を上回る再生速度で高速再生し、記録装置における記録速度を通常の速度よりも高速で行なうことにより、ＭＤ２２への情報記録をより高速で行なうことが可能となる。
【００５３】
また、上記実施形態においては、ＣＤプレイヤーの出力端子とＭＤレコーダーの入力端子をデジタル対応のケーブルにより接続している。しかし、ＣＤプレイヤーとＭＤレコーダーとを同一筐体内に収納し、ＣＤプレイヤーとＭＤレコーダーを直接接続するようにしてもよい。
【図面の簡単な説明】
【図１】本発明に係る情報記録装置である情報記録システム４００の全体構成を示すブロック図である。
【図２】本発明に係る情報記録装置である情報記録システム５００の全体構成を示すブロック図である。
【図３】本発明に係る情報記録装置である情報記録システム６００の全体構成を示すブロック図である。
【図４】図２に示す情報記録システム５００の他の実施形態の全体構成を示すブロック図である。
【図５】コンパクトディスクに記録されている音楽をミニディスクに記録する場合の、従来のＣＤプレイヤーとＭＤレコーダーの接続関係を示す。
【符号の説明】
１２・・・・・ＣＤ
２２・・・・・ＭＤ
３０Ｔ・・・・出力端子
４０Ｔ・・・・入力端子
３３・・・・・圧縮部
３４、４４・・信号処理系
３５、４５・・操作キー
３８、４８・・システムコントローラ
３９、４９・・メカニズム系
４６・・・・・ショックプルーフメモリ
４００Ｃ・・・ケーブル
【図１】
0003837728.tif 000002
【図２】
0003837728.tif 000003
【図３】
0003837728.tif 000004
【図４】
0003837728.tif 000005
【図５】
0003837728.tif 000006